(57)【要約】  媒体に関する取引処理を実行する取引装置であって、前記媒体を保持可能な媒体保持部と、前記媒体を収納する複数の第１の収納庫と、前記媒体を格納可能でありかつ前記取引装置に対して脱着可能な第２の収納庫と、前記第１の収納庫、前記第２の収納庫及び前記媒体保持部の各々との間を接続する搬送経路を介して前記媒体を搬送可能な搬送部と、前記搬送経路に設けられて通過する前記媒体を鑑別可能な鑑別部と、を有し、前記搬送部は、保守作業の際に、前記第１の収納庫又は前記第２の収納庫から前記第２の収納庫又は前記第１の収納庫に前記媒体保持部及び前記鑑別部を介して前記媒体を搬送する。
2020105338.tif 000002
【特許請求の範囲】
【請求項１】
媒体に関する取引処理を実行する取引装置であって、
前記媒体を保持可能な媒体保持部と、
前記媒体を収納可能な複数の第１の収納庫と、
前記媒体を収納可能でありかつ前記取引装置に対して脱着可能な第２の収納庫と、
前記第１の収納庫、前記第２の収納庫及び前記媒体保持部の各々との間を接続する搬送経路を介して前記媒体を搬送可能な搬送部と、
前記搬送経路に設けられて通過する前記媒体を鑑別可能な鑑別部と、を有し、
前記搬送部は、回収、精査、又は補充の際に、前記第１の収納庫又は前記第２の収納庫から前記第２の収納庫又は前記第１の収納庫に前記媒体保持部及び前記鑑別部を介して前記媒体を搬送する、取引装置。
【請求項２】
前記精査において、
前記搬送部は、前記第１の収納庫から前記媒体保持部への前記媒体の搬送である第１の搬送によって前記複数の第１の収納庫のうちの１の第１の収納庫から前記媒体を取り出し、前記媒体保持部から前記第２の収納庫への前記媒体の搬送である第２の搬送によって前記媒体保持部から取り出され、搬送された前記媒体を前記第２の収納庫に収納し、
前記第１の搬送又は前記第２の搬送のいずれかにおいて、前記媒体が前記鑑別部を経由して搬送される、請求項１に記載の取引装置。
【請求項３】
前記搬送部は、前記第２の搬送の後の前記第２の収納庫から前記１の第１の収納庫への前記媒体の搬送である第３の搬送によって、前記１の第１の収納庫から取り出されて前記第２の収納庫に収納された前記媒体を前記１の第１の収納庫に戻す、請求項２に記載の取引装置。
【請求項４】
前記鑑別部によって鑑別されたリジェクト媒体は、前記第１の搬送又は前記第２の搬送のいずれかにおいて、リジェクト収納庫に搬送される、請求項２又は３に記載の取引装置。
【請求項５】
一時保留部をさらに有し、
前記リジェクト媒体は、前記一時保留部に一時的に保留された後、前記リジェクト収納庫に搬送される、請求項４に記載の取引装置。
【請求項６】
前記補充において、
前記搬送部は、前記第２の収納庫から前記媒体保持部への前記媒体の搬送である第４の搬送によって前記第２の収納庫から前記媒体を取り出し、前記媒体保持部から少なくとも１つの前記第１の収納庫への前記媒体の搬送である第５の搬送によって前記第２の収納庫から取り出され、搬送された前記媒体を前記第１の収納庫に収納し、
前記第４の搬送又は前記第５の搬送のいずれかにおいて、前記媒体が前記鑑別部を経由して搬送される、請求項１乃至３のいずれか１つに記載の取引装置。
【請求項７】
前記搬送経路に設けられて通過する前記媒体を一時的に保持可能な一時保留部を有し、
前記搬送部は、前記精査又は補充において前記鑑別部によって偽券又は損券であると鑑別されたリジェクト媒体を前記一時保留部に保持させる、請求項６に記載の取引装置。
【請求項８】
前記リジェクト媒体は、前記一時保留部からリジェクト収納庫に搬送されることを特徴とする請求項７に記載の取引装置。
【請求項９】
前記精査において、前記複数の第１の収納庫の各々から取り出されるべき前記媒体の数を、所定の期間内に実行された取引処理の履歴に基づいて算出する第１の算出部を有する、請求項３に記載の取引装置。
【請求項１０】
前記補充において、前記第５の搬送によって前記複数の第１の収納庫のいずれかに収納されるべき前記媒体の数を所定の期間内に実行された取引処理の履歴に基づいて算出する第２の算出部を有する、請求項６に記載の取引装置。
【請求項１１】
前記回収において、
前記搬送部は、前記第１の収納庫から前記媒体保持部への前記媒体の搬送である第６の搬送によって前記第１の収納庫から前記媒体を少なくとも取り出し、前記媒体保持部から前記第２の収納庫への前記媒体の搬送である第７の搬送によって前記媒体保持部から取り出された前記媒体を前記第２の収納庫に収納し、
前記第６の搬送又は前記第７の搬送のいずれかにおいて、前記媒体が前記鑑別部を経由して搬送される、請求項１に記載の取引装置。
【請求項１２】
前記鑑別部によってリジェクト媒体と鑑別された場合、明細票及び／又は画面にリジェクト媒体に関する情報が出力される、請求項１１に記載の取引装置。
【請求項１３】
一時保留部をさらに有し、
前記鑑別部によって鑑別されたリジェクト媒体は、前記一時保留部に一時的に保留された後、リジェクト収納庫又は前記第２の収納庫に収納され、
前記リジェクト媒体に関する情報が明細票及び／又は画面に出力される、請求項１１に記載の取引装置。
【発明の詳細な説明】
【技術分野】
【０００１】
本願は、２０１８年１１月２２日出願の日本国出願、特願２０１８−２１８８４９号の優先権を主張すると共に、その全体が参照により本明細書に取り込まれる。
本開示は、取引装置に関する。
【背景技術】
【０００２】
金融機関の現金自動預け払い機（ＡＴＭ：Automated Teller Machine）及び現金自動支払い機（ＣＤ：Cash Dispenser）や、セルフレジ、セミセルフレジ、釣銭機、または現金処理装置に代表される取引装置は、銀行等の金融機関の支店や、スーパー・コンビニエンスストア等の店舗に設置されている（例えば、特開２０１５−２０１１６３号公報参照）。取引装置において、取引内容に応じて現金が入金、支払、又は出金される。取引装置で取り扱われる現金、すなわち紙幣等の媒体は、例えば種類毎に収納庫（カセット）に収納される。【０００３】
例えば、当該カセットには、予め出金用の現金を入れておく必要があり、また、入金によって当該カセットが満杯になれば回収する必要がある。また、例えば、入出金された金額の取引装置上の記録と実際のカセット内の現金の計数結果とを照合する精査が定期的に行われる。このように、取引装置では、取引の際の入出金以外に、カセット内の媒体に関わる保守作業が行われる。
【発明の概要】
【発明が解決しようとする課題】
【０００４】
例えば、上記のような保守作業において、媒体の補充又は回収のために多数の交換用のカセットを取引装置の設置場所に持参する必要が生じていた。また、当該カセットに収納されている媒体の精査を行う際にも、多数のカセットを交換する必要が生じ、また、補充用の紙幣を多数準備する必要が生じる場合があった。【０００５】
本開示は、上述の点に鑑みてなされたものであり、取引装置内の媒体の精査、回収、及び補充を含む保守作業の際に必要なカセットの数を低減し、カセット内の媒体の管理を容易かつ確実とする取引装置を提供する。
【課題を解決するための手段】
【０００６】
本開示の取引装置は、媒体に関する取引処理を実行する取引装置であって、前記媒体を保持可能な媒体保持部と、前記媒体を収納するための複数の第１の収納庫と、前記媒体を収納可能で取引装置に対して脱着可能な第２の収納庫と、前記第１の収納庫、前記第２の収納庫及び前記媒体保持部の各々との間を接続する搬送経路を介して前記媒体を搬送可能な搬送部と、前記搬送経路に設けられて通過する前記媒体を鑑別可能な鑑別部と、を有し、前記搬送部は、保守作業の際に、前記第１の収納庫又は第２の収納庫から前記第２の収納庫又は第１の収納庫に前記媒体保持部及び前記鑑別部を介して前記媒体を搬送することを特徴とする。
【図面の簡単な説明】
【０００７】
【図１】取引装置の外観を示す図である。
【図２】実施例１の取引装置の内部構成を示す構成図である。
【図３】取引装置の構成を示すブロック図である。
【図４】複数のＡＴＭ１００が設置されている例を示す図である。
【図５】取引装置における精査ルーチンを示すフローチャートである。
【図６】取引装置における精査ルーチンを示すフローチャートである。
【図７】取引装置における回収ルーチンを示すフローチャートである。
【図８】取引装置における画面表示の一例を示す図である。
【図９】取引装置における補充ルーチンを示すフローチャートである。
【図１０】取引装置における補充ルーチンを示すフローチャートである。
【発明を実施するための形態】
【０００８】
以下に本開示の実施例について詳細に説明する。なお、以下の説明及び添付図面においては、実質的に同一又は等価な部分には同一の参照符号を付している。
【実施例】
【０００９】
以下に、本開示の実施例の取引装置１００について添付の図面を参照しつつ説明する。なお、本実施形態に係る取引装置１００は、自動取引装置（以下、単にＡＴＭともいう）である場合を例に挙げて説明するが、かかる場合に限定されず、例えば、取引装置１００は、現金処理装置、セルフレジ、釣銭機などであっても良い。
ＡＴＭ１００は、例えば金融機関の各支店に設置されており、夫々金融機関のホストコンピュータ（以下、単にホストとも称する）（図示せず）に接続されている。ＡＴＭ１００は、ホストコンピュータと通信することによって種々の取引処理を実行する事が可能となっている。【００１０】
図１は、ＡＴＭ１００を前方から見た斜視図である。図１に示すように、ＡＴＭ１００の前側に操作表示部１１が設けられている。操作表示部１１は、表示部としてのディスプレイ１１Ａと、ディスプレイ１１Ａの表示面を覆う入力部としてのタッチパッド１１Ｂとを含むタッチパネルである。ディスプレイ１１Ａは、例えば液晶表示装置等の表示装置である。タッチパッド１１Ｂは、例えば感圧式または静電式のタッチパッドである。【００１１】
ＡＴＭ１００を使用する利用者（以下、ユーザとも称する）は、ＡＴＭ１００の当該前面側に立つことで、操作表示部１１からの入力やカード挿入等の操作をすることができる。【００１２】
また、ＡＴＭ１００の保守担当者（以下、オペレータとも称する）は、操作表示部１１に表示された操作画面への入力操作によって、紙幣の精査、回収、補充等の保守作業を行うことができる。【００１３】
紙幣入出部１３は、ＡＴＭ１００への入金の際に、媒体としての紙幣が入金（投入）される投入口となる開口部を有している。当該開口部は、出金の際には、紙幣が出金（排出）される排出口となる。紙幣入出部１３には、当該開口部を開閉自在に移動可能なシャッター１３Ａが設けられている。【００１４】
硬貨入出部１５は、ＡＴＭ１００への入金の際に、媒体としての硬貨が投入される投入口となる開口部を有している。当該開口部は、例えば、シャッター１５Ａによって開閉されるが、かかる例に限定されず、例えば、シャッター１５Ａが存在しない構成でも良い。当該開口部は、出金の際には、硬貨が排出される排出口となる。【００１５】
通帳挿入排出口１７は、ＡＴＭ１００に通帳が取り込まれる際の挿入口であり、ＡＴＭ１００から通帳が排出される際の排出口である。【００１６】
カード挿入排出口１９は、取引に用いられる情報を保持するカードがＡＴＭ１００に入れられる際の挿入口であり、ＡＴＭ１００からカードが顧客に取られる際の排出口である。【００１７】
なお、取引の終了時に、カードに加えて取引の記録を記載した明細票が、カード挿入排出口１９から排出されてもよい。また、例えば、保守作業の終了時に、紙幣の精査結果又は回収された紙幣の枚数等の記録が記載された明細票がカード挿入排出口１９から排出される。【００１８】
図２は、ＡＴＭ１００の内部構成を示す構成図である。図２に示すように、紙幣入出部１３は、収容部１３Ｂを有している。収容部１３Ｂは、紙幣入出部１３に投入される紙幣及び紙幣入出部１３から排出される紙幣を保持可能な容積を有する容器である。【００１９】
例えば、収容部１３Ｂは、数十枚から百枚程度の紙幣を保持可能に構成されている。収容部１３は、例えば、シャッター１３Ａの開閉によって外部に開放可能であるが、かかる例に限定されず、例えば、紙幣入出部１３にシャッター１３Ａが備わらない構成でも良い。【００２０】
紙幣収納部２１は、紙幣を収納する複数の収納庫（カセット）を含む。当該複数の収納庫の各々は、ＡＴＭ１００に対して脱着自在に設けられている。【００２１】
紙幣収納部２１は、複数の第１の収納庫としてのリサイクルカセット群２２を含む。リサイクルカセット群２２は、リサイクルカセット２２Ａ、２２Ｂ及び２２Ｃを含む。リサイクルカセット２２Ａ、２２Ｂ及び２２Ｃは、紙幣の収納及び排出の両方の機能を有する収納庫である。リサイクルカセット群２２に含まれるカセットの各々は、投入された紙幣を金種毎に収納可能である。【００２２】
本実施例においては、一例として、リサイクルカセット２２Ａが一万円券カセットであり、リサイクルカセット２２Ｂが五千円券カセットであり、リサイクルカセット２２Ｃが千円券カセットである場合について説明するが、かかる例に限定されないのは勿論である。例えば、リサイクルカセット２２Ａ、２２Ｂが１０万ルピア券カセットであり、リサイクルカセットＣが５万ルピア券カセット等であっても良い。【００２３】
また、紙幣収納部２１は、オペレーション（ＯＰ）カセット２３を含む。ＯＰカセット２３は、紙幣の収納及び排出の両方の機能を有する収納庫である。ＯＰカセット２３は、ＡＴＭ１００に対して脱着可能に構成されている。【００２４】
例えば、ＯＰカセット２３は、ＡＴＭ１００が取引処理を実行する際には、ＡＴＭ１００に対して装着されず、ＡＴＭ１００の保守作業の際に装着される。【００２５】
また、例えば、ＯＰカセット２３は、ＡＴＭ１００が取引処理を実行する際には、ＯＰカセット２３が装着されていても、ＯＰカセット２３への紙幣の収納及びＯＰカセット２３からの紙幣の排出のいずれも行われず、ＡＴＭ１００の保守作業の際にＯＰカセット２３への紙幣の収納又はＯＰカセット２３からの紙幣の排出が行われる。【００２６】
具体的には、保守作業の際に、例えば、リサイクルカセット群２２内に収納されている紙幣がＯＰカセット２３に回収される。また、例えば、保守作業の際に、補充用の紙幣が収納されたＯＰカセット２３がＡＴＭ１００に対して装着され、当該補充用の紙幣がリサイクルカセット群２２の各々のカセットに金種別に収納される。【００２７】
また、紙幣収納部２１は、リジェクト（ＲＪ）カセット２４を含む。ＲＪカセット２４は、ＡＴＭ１００内において鑑別された紙幣が偽券または損券である場合に、当該偽券または損券がリジェクト紙幣として入れられるカセットである。【００２８】
なお、紙幣収納部２１は、紙幣の収納の機能のみを有し、排出の機能は有していない収納庫である入金カセット（図示せず）を含んでいてもよい。【００２９】
搬送部２５（図中破線）は、紙幣の通路である搬送経路２５Ａを含んでいる。また、搬送部２５は、ローラ等によって搬送経路２５Ａに沿って紙幣を送る機構である搬送機構（図示せず）を含んでいる。搬送部２５は、紙幣入出部１３と、紙幣収納部２１に含まれる各カセットとの間で紙幣を搬送可能に設けられている。【００３０】
例えば、搬送部２５は、搬送経路２５Ａが分岐している箇所に設けられた振分機構を有しており、当該振分機構によって、搬送経路２５Ａに沿って搬送されている紙幣を所定の搬送先に案内する。【００３１】
また、搬送部２５は、搬送経路２５Ａ上に設けられたセンサを有しており、当該センサによって、紙幣の位置又は所定箇所における紙幣の通過等の検出が行われる。紙幣入出部１３から投入される紙幣は、搬送経路２５Ａに沿って搬送され、搬送経路２５Ａを介して紙幣収納部２１の各カセットに導入されて収納される。また、リサイクルカセット群２２から出金される紙幣は、搬送経路２５Ａを介して紙幣入出部１３に導出される。【００３２】
紙幣鑑別部２７は、搬送部２５の一部に設けられており、搬送部２５によってＡＴＭ１００内を搬送される紙幣の券種及び真偽の鑑別を行う。紙幣鑑別部２７は、紙幣が搬送経路２５Ａ上の紙幣鑑別部２７を通過する際に、紙幣の鑑別に必要なデータを取得する。例えば、紙幣鑑別部２７は、紙幣の大きさ又は画像等のデータを取得する機能を備えており、当該データに基づいて紙幣の鑑別を行う。【００３３】
紙幣一時保留部２９は、ＡＴＭ１００内で搬送される紙幣、例えば、紙幣入出部１３から取り込まれた紙幣または紙幣入出部１３へ排出される紙幣が一時的に集積、滞留される領域である。紙幣一時保留部２９には、例えば、入金紙幣計数時等に、一時的に紙幣を集積、滞留させることができる。【００３４】
また、例えば、紙幣一時保留部２９には、保守作業中にリジェクト紙幣であると鑑別された紙幣が一時的に集積される。例えば、当該リジェクト紙幣は、ＯＰカセット２３又はリジェクトカセット２４に収納されてもよい。【００３５】
制御部３１は、ＡＴＭ１００の機能を実行する処理部又は装置である。ＡＴＭ１００は、制御部３１によって動作制御がなされる。制御部３１は、（Central Processing Unit）（図示せず）、ＲＯＭ（Read Only Memory）（図示せず）、ＲＡＭ（Random Access Memory）（図示せず）等により構成され、コンピュータとして機能する。そして、制御部３１のＣＰＵが、ＲＯＭに記憶されるかまたは外部にある各種プログラムを読み出し実行することにより各種機能を実現する。【００３６】
図３は、ＡＴＭ１００の装置制御に関する構成を示す図である。制御部３１は、ＡＴＭ１００の各部に接続されてこれらを制御することでＡＴＭ１００に含まれる各種装置の機能を実現する。【００３７】
制御部３１は、操作表示部１１、紙幣入出部１３、紙幣収納部２１、搬送部２５、及び紙幣鑑別部２７等の各部に接続されて上述した機能を実現すべく各部を制御する。【００３８】
例えば、操作表示部のディスプレイ１１Ａは、制御部３１から供給された操作表示信号に基づき、各種の操作画面又はメッセージ等を含む取引画面を表示する。タッチパッド１１Ｂは、利用者がディスプレイ１１Ａに表示された内容に対応した領域に触れると、当該表示された内容に対応した操作信号を制御部３１に供給する。なお、上記タッチパッド１１Ｂに限定されず、例えば、ハードキー等が利用されても良い。利用者がディスプレイ１１Ａに表示された内容に対応したハードキーを選択すると、当該表示された内容に対応した操作信号が制御部３１に供給される。【００３９】
例えば、紙幣収納部２１は、制御部３１の指示に従って、各カセットのシャッターの開閉を行って紙幣を収納する。【００４０】
例えば、搬送部２５は、制御部３１の指示に従って、ローラやブレード等の紙幣を送る機構を含む搬送機構を動作させる。例えば、制御部３１によって保守作業に関するプログラムが実行される際に、当該プログラムによって指定された搬送先に紙幣が搬送されるように搬送機構を動作させる。【００４１】
例えば、紙幣鑑別部２７は、紙幣が紙幣鑑別部２７を通過した際に取得したデータを制御部３１に供給する。【００４２】
記憶部３３は、制御部３１の処理に必要なデータ及び処理において発生するデータを適宜記憶するハードディスク、フラッシュメモリ、ＳＳＤ（Solid State Drive）、ＲＡＭ（Random Access Memory）等の記憶装置である。【００４３】
記憶部３３は、例えば、オペレーティングシステムや、ＡＴＭ１００用のソフトウェア等の各種プログラムを記憶する。なお、各種プログラムは、例えば、他のサーバ装置等からネットワークを介して取得されるようにしてもよいし、記録媒体に記録されて各種ドライブ装置を介して読み込まれるようにしてもよい。【００４４】
通信部３５は、制御部３１の指示に従って外部とのデータの送受信等の通信を行うためのＮＩＣ（Network Interface Card）等のネットワークアダプタである。通信部３５は、例えば、取引処理において生ずるホストコンピュータ等の外部機器との通信を行う。【００４５】
通帳記帳機３７は、ＡＴＭ１００の前面に設けられている通帳挿入排出口１７に顧客の預金通帳が挿入されると、これを取り込む。この際、通帳記帳機３７は、制御部３１から供給された取引結果信号にて示される取引内容、及び当該取引の実行日時等を、顧客の預金通帳に書き込む。当該書き込みが終了すると、通帳記帳機３７は、顧客の預金通帳を通帳挿入排出口１７から排出する。【００４６】
カード読取印刷機３９は、例えば、ＡＴＭ１００の前面に設けられているカード挿入口としてのカード挿入排出口１９に顧客の取引カードが挿入されると、当該取引カードを取り込んで当該取引カードが保持している情報を読み取る。なお、かかる例に限定されず、例えば、当該取引カードが保持している情報は、カード挿入排出口１９に取引カードが入れられ、当該取引カードが顧客にカード挿入排出口１９から取られる際に、読み取られても良い。当該取引カードが保持している情報は、例えば、ユーザの識別番号または口座番号等を含む顧客情報等の情報である。カード読取印刷機３９は、読み取ったカード情報を表すカード情報データを制御部３１に供給する。【００４７】
図４は、複数のＡＴＭ１００が接続されている保守ネットワークの一例を示す概略図である。複数のＡＴＭ１００は例えば、銀行の同じ支店内に設置されていてもよく、異なる支店内に設置されていてもよい。或いは、複数のＡＴＭ１００は、銀行以外の場所に設置されていてもよい。【００４８】
例えば、保守ネットワークは、保守に関する情報を処理するサーバである保守サーバ２００に接続されている。例えば、保守サーバは、複数のＡＴＭ１００の各々からの情報に基づき、いずれのＡＴＭ１００において保守作業が必要となったかを判定する。また、例えば、保守サーバは、いずれかのＡＴＭ１００において保守作業が必要となったと判定し、その旨を保守担当者に通知する。【００４９】
図５及び図６を参照しつつ、ＡＴＭ１００の制御部３１によって実行される紙幣の精査ルーチンＲＴ１について説明する。以下、一例として、複数の第１の収納庫としてのリサイクルカセット群２２に含まれる、１つの第１の収納庫としての１つのリサイクルカセット２２Ａ内の紙幣が精査される場合について説明する。【００５０】
制御部３１は、ＡＴＭ１００の動作モードが、例えば専用鍵の使用により、取引を実行する通常のモードから保守作業に関する処理を実行するモードに切り替えられた際に、本ルーチンを開始する。【００５１】
制御部３１は、精査ルーチンＲＴ１を開始すると、「精査スタート」が押されたか否かを判定する（ステップＳ１０１）。例えば、ステップＳ１０１において、制御部３１は、操作表示部１１のディスプレイ１１Ａに保守作業用の選択画面を表示させ、タッチパッド１１Ｂを介して、当該選択画面上の「精査スタート」が選択されたか否かを判定する。【００５２】
ステップＳ１０１において、制御部３１は、「精査スタート」が押されていないと判定すると、ステップＳ１０１を繰り返し、「精査スタート」が押されたか否かを再び判定する。【００５３】
制御部３１は、ステップＳ１０１において、「精査スタート」が押されたと判定すると、ＯＰカセット２３が装着されているか否かを判定する（ステップＳ１０２）。制御部３１は、ステップＳ１０２において、紙幣収納部２１のＯＰカセット２３がＡＴＭ１００に対して装着されているか否かを判定する。例えば、ステップＳ１０２において、紙幣収納部２１の筐体（図示せず）に設置されたカセット検知用のセンサが、ＯＰカセット２３を検知しているか否かが判定される。【００５４】
ステップＳ１０２において、制御部３１は、ＯＰカセット２３が装着されていないと判定すると、ステップＳ１０２を繰り返し、ＯＰカセット２３が装着されているか否かを再び判定する。【００５５】
制御部３１は、ステップＳ１０２において、ＯＰカセット２３が装着されていると判定すると、リサイクルカセット２２Ａから紙幣入出部１３に紙幣が搬送される（ステップＳ１０３）。ステップＳ１０３において、リサイクルカセット２２Ａから紙幣が導出され、紙幣鑑別部２７を経由して、紙幣入出部１３の収容部１３Ｂに収容される。【００５６】
制御部３１は、ステップＳ１０３の実行後、リサイクルカセット２２Ａが空か否かを判定する（ステップＳ１０４）。制御部３１は、ステップＳ１０４において、リサイクルカセット２２Ａが空であると判定する（ステップＳ１０４：ＹＥＳ）と、紙幣入出部１３からリサイクルカセット２２Ａに紙幣を搬送する（ステップＳ１０５）。なお、ステップＳ１０４にてリサイクルカセット２２Ａが空と判定された場合の収容部１３Ｂに収容された紙幣は、ＯＰカセット２３を介さずに直接、リサイクルカセット２２Ａに搬送される（ステップＳ１０５）。当該紙幣がＯＰカセット２３を介さない理由は、リサイクルカセット２２Ａに精査する紙幣がなくなり、ＯＰカセット２３に収納する必要がないためであり、処理効率化に資するし、紙幣がリサイクルカセット２２Ａに収納される順序も収納部１３Ｂの紙幣の方がＯＰカセット２３の紙幣よりも先である。さらに、ステップＳ１０５において、紙幣入出部１３の収容部１３Ｂに収容された紙幣が紙幣鑑別部２７にて鑑別され、正常と鑑別された紙幣は元のリサイクルカセット２２Ａに搬送される。なお、紙幣鑑別部２７は、正常な紙幣であるか、損券の紙幣（リジェクト紙幣）であるかなど紙幣を鑑別する。上述の通り、正常と鑑別された紙幣は、リサイクルカセット２２Ａに搬送されるが、一方で、ステップＳ１０５において、偽券又は損券等のリジェクト紙幣と鑑別された紙幣は、例えば、リジェクトカセット２４に搬送される。鑑別結果がリジェクト紙幣の場合、金種、記番号、又は画像のうち少なくとも一つを記憶部３３に記憶されても良い。また、鑑別結果がリジェクト紙幣の場合、各リジェクト紙幣ごとに、又は、全リジェクト紙幣についてまとめて、ディスプレイ１１Ａ及び／又は明細票に出力される。【００５７】
制御部３１は、ステップＳ１０４において、リサイクルカセット２２Ａが空でないと判定する（ステップＳ１０４：ＮＯ）と、紙幣入出部１３が満杯であるか否かを判定する（ステップＳ１０６）。制御部３１は、ステップＳ１０６において、紙幣入出部１３が満杯ではないと判定すると、ステップＳ１０３に戻り、リサイクルカセット２２Ａから紙幣入出部に紙幣を再び搬送する。【００５８】
制御部３１は、ステップＳ１０６において、紙幣入出部１３が満杯であると判定すると、図６に示すように、紙幣入出部１３からＯＰカセット２３に紙幣を搬送する（ステップＳ１０７）。なお、紙幣入出部１３からＯＰカセット２３に紙幣が搬送される際（ステップＳ１０７）、紙幣鑑別部２７を経由し、紙幣が鑑別される。ステップＳ１０７において、正常と鑑別された紙幣は、ＯＰカセット２３に搬送され、リジェクト紙幣については、紙幣一時保留部２９に搬送される。また、ステップＳ１０７において、紙幣入出部１３の収容部１３が空になるまでＯＰカセット２３に紙幣が搬送される。例えば、ステップＳ１０７において、収容部１３が収容可能である数十枚から約百枚の紙幣が搬送される。【００５９】
制御部３１は、ステップＳ１０７の実行後、再び、リサイクルカセット２２Ａから紙幣入出部１３に紙幣を搬送する（ステップＳ１０８）。なお、ステップＳ１０８を実行する際、リサイクルカセット２２Ａに紙幣が存在することが確認できた後、当該ステップＳ１０８を実行しても良く、紙幣が存在しない場合は、ステップＳ１０８〜ステップＳ１１０を省略しても良い。【００６０】
制御部３１は、ステップＳ１０８の実行後、リサイクルカセット２２Ａが空であるか否かを判定する（ステップＳ１０９）。ステップＳ１０９において、制御部３１は、リサイクルカセット２２Ａが空ではないと判定する（ステップＳ１０９：ＮＯ）と、ステップＳ１０７に戻り、再び紙幣入出部１３内の紙幣のうち正常な紙幣についてはＯＰカセット２３に搬送され、リジェクト紙幣は紙幣一時保留部２９に搬送される。ステップＳ１０７後、リサイクルカセット２２Ａに残っている紙幣を紙幣入出部１３に搬送する（ステップＳ１０８）。【００６１】
すなわち、搬送部２５は、ステップＳ１０７〜ステップＳ１０９において、制御部３１からの指示に従って、紙幣入出部１３の収容部１３内の紙幣をＯＰカセット２３に退避させ、リサイクルカセット２２Ａから紙幣を導出する搬送を、リサイクルカセット２２Ａ内に紙幣が無くなるまで繰り返す。【００６２】
換言すれば、搬送部２５は、ステップＳ１０３〜ステップＳ１０９において、第１の収納庫としてのリサイクルカセット２２Ａから媒体保持部としての紙幣入出部１３への紙幣の搬送である第１の搬送によってリサイクルカセット２２Ａから紙幣を取り出し、紙幣入出部１３から第２の収納庫としてのＯＰカセット２３への紙幣の搬送である第２の搬送によって、リサイクルカセット２２Ａから取り出された紙幣をＯＰカセット２３に収納する。【００６３】
このように、本ルーチンでは、リサイクルカセット２２Ａ内の紙幣をＯＰカセット２３に搬送する際に、紙幣入出部１３及び紙幣鑑別部２７を経由する。本ルーチンでは、紙幣入出部１３の収容器１３Ｂをバッファとして利用することで、リサイクルカセット２２Ａ内の紙幣のうち収容器１３Ｂに収容可能な数を単位として一方向に連続して搬送することができる。【００６４】
これに対して、紙幣入出部１３の収容器１３Ｂをバッファとして利用しない場合、例えば、本実施例における紙幣収納部２１、搬送部２５及び紙幣鑑別部２７レイアウト（図２参照）と同様のレイアウトを有する取引装置において精査をする場合では、リサイクルカセット２２から紙幣が紙幣鑑別部２７に搬送され、紙幣鑑別部２７にて鑑別された紙幣は、正常又は損券等の鑑別結果に応じて、直接ＯＰカセット２３又はリジェクトカセット２４に搬送される必要がある。しかしながら、例えば、リジェクトカセット２２Ａから紙幣鑑別部２７に搬送途中の紙幣と、紙幣鑑別部２７からＯＰカセット２３に搬送途中の紙幣とが衝突しないように、１枚の紙幣を搬送する毎に搬送方向の切り替えが必要になるなど、効率良く搬送することは困難である。【００６５】
従って、ＡＴＭ１００によれば、上記のようなレイアウトに関わらず、紙幣入出部１３及び紙幣鑑別部２７を経由してリサイクルカセット２２Ａ内の紙幣をＯＰカセット２３に収納するための搬送を短時間で効率良く行うことができる。【００６６】
制御部３１は、ステップＳ１０９において、リサイクルカセット２２Ａが空であると判定する（ステップＳ１０９：ＹＥＳ）と、ステップＳ１０５にて上述したが、紙幣入出部１３から繰り出される紙幣のうち正常と鑑別された紙幣については、リサイクルカセット２２ＡにＯＰカセット２３を経由せずに直接、紙幣を搬送し（ステップＳ１１０）、ＯＰカセット２３に既に収納済の紙幣については、ＯＰカセット２３からリサイクルカセット２２Ａに紙幣を搬送する（ステップＳ１１１）。また、上記ステップＳ１０９にてリサイクルカセット２２Ａが空でない場合、紙幣入出部１３から繰り出された紙幣のうち正券と鑑別された紙幣についてはＯＰカセット２３に搬送され（Ｓ１０７）、一方、損券等と鑑別されたリジェクト紙幣については、例えば、紙幣一時保留部２９に搬送された後、リジェクトカセット２４にまとめて搬送される。しかしながら、かかる例に限定されず、紙幣一時保留部２９を経由せずに、リジェクト紙幣は、リジェクトカセット２４に直接に搬送されても良い。【００６７】
ステップＳ１１１において、制御部３１は、搬送部２５を制御して、ＯＰカセット２３内の全ての紙幣を、当該紙幣が取り出された元のリサイクルカセット２２Ａに搬送させる。すなわち、搬送部２５は、第２の収納庫としてのＯＰカセット２３から１の第１の収納庫としてのリサイクルカセット２２Ａへの紙幣の搬送である第３の搬送によって、リサイクルカセット２２Ａから取り出されてＯＰカセット２３に収納された紙幣をリサイクルカセット２２Ａに戻す。【００６８】
なお、ステップＳ１１０において、リサイクルカセット２２Ａに紙幣が直接搬送される場合を例に挙げて説明したが、かかる例に限定されず、紙幣入出部１３からＯＰカセット２３に一旦収納され、その後、ＯＰカセット２３からリサイクルカセット２２Ａに紙幣が収納されてもよい。【００６９】
制御部３１は、ステップＳ１１１の実行後、精査結果を印刷する（ステップＳ１１２）。例えば、ステップＳ１１２において、制御部３１は、カード読取印刷機３９を制御して、例えば、リサイクルカセット２２Ａ内の紙幣の金種や枚数等の精査結果を明細票に印刷させて、当該明細票をカード挿入排出口１９から排出させる。また、明細票には、リジェクト紙幣の金種及び／又は枚数が印刷されても良い。さらに、明細票には、リジェクト紙幣の記番号が印刷されても良い。なお、かかる例に限定されず、例えば、全リサイクルカセット２２Ａ〜２２Ｃの精査が完了した後、明細票が印刷されても良い。【００７０】
制御部３１は、ステップＳ１１２の実行後、精査ルーチンＲＴ１を終了し、繰り返し精査ルーチンＲＴ１を実行する。例えば、本実施例において、カセット毎に精査ルーチンＲＴ１を繰り返してリサイクルカセット群２２内の全てのリサイクルカセット２２Ａ〜２２Ｃ内の紙幣が精査される。【００７１】
また、本ルーチンで搬送される紙幣は、紙幣入出部１３から繰り出された紙幣が紙幣鑑別部２７にて鑑別される、又は、紙幣入出部１３からＯＰカセット２３（又は紙幣一時保留部２９）への紙幣の搬送（第２の搬送）の際に紙幣が鑑別される例を挙げて説明したが、かかる例に限定されない。例えば、リサイクルカセット２２Ａから紙幣入出部１３への紙幣の搬送（第１の搬送）の際に紙幣が鑑別されても良い。すなわち、第１の搬送又は第２の搬送のいずれかにおいて、紙幣が紙幣鑑別部２７を経由して鑑別されればよいが、第１の搬送及び第２の搬送の双方において紙幣を鑑別しても実施可能であり、より信頼性の高い鑑別に資する。【００７２】
以上、説明したように、ＡＴＭ１００によれば、保守作業のうちの紙幣の精査において、空のＯＰカセット２３を装着し、リサイクルカセット２２Ａ内の紙幣を紙幣鑑別部２７で鑑別させてＯＰカセット２３に退避させることができる。【００７３】
この際に、紙幣入出部１３の収容部１３Ｂに紙幣を一時的に収容する。これによって上述のようなレイアウトに関わらず、一方向の連続した搬送が可能となり、紙幣鑑別部２７を経由しつつ効率良く搬送することができる。つまり、空のＯＰカセット２３を装着するだけで、ＡＴＭ１００内で自動的に効率よく精査を行うことができる。【００７４】
従って、例えば、精査の対象のカセットを全て取外して他のカセットに交換する必要はない。すなわち、精査の対象のカセットを取外して他のカセットに交換する場合よりも、準備すべきカセットの数が少なく、精査の作業にかかる手間も少ない。また、ＡＴＭ１００における取引結果と精査の結果が合わない場合の対処もより迅速に行うことができる。【００７５】
また、例えば、紙幣鑑別部２７を利用しての精査の際に紙幣を退避させるための空のカセットを準備すべく、リサイクルカセットを空にするような処理は必要ない。【００７６】
よって、ＡＴＭ１００によれば、装置内の媒体の精査の際に必要なカセットの数を低減し、カセット内の媒体の管理を容易かつ確実とする装置を提供することができる。【００７７】
図７及び図８を参照しつつ、ＡＴＭ１００の制御部３１によって実行される紙幣の回収ルーチンＲＴ２について説明する。以下、一例として、リサイクルカセット群２２に含まれる全てのリサイクルカセット２２Ａ〜２２Ｃ内の紙幣が回収される場合について説明する。【００７８】
制御部３１は、ＡＴＭ１００の動作モードが、例えば専用鍵の使用により、取引を実行する通常のモードから保守作業に関する処理を実行するモードに切り替えられた際に、本ルーチンを開始する。【００７９】
制御部３１は、回収ルーチンＲＴ２を開始すると、「紙幣回収」が押されたか否かを判定する（ステップＳ２０１）。例えば、ステップＳ２０１において、制御部３１は、操作表示部１１のディスプレイ１１Ａに保守作業用の選択画面を表示させ、例えば、タッチパッド１１Ｂを介して、当該選択画面上の「紙幣回収」が選択されたか否かを判定する。なお、かかる例に限定されず、例えば、タッチパッド１１Ｂの代わりにハードキーが利用されても良い。ハードキーを介して、例えば、「紙幣回収」が選択されたり、「回収枚数」が入力される。【００８０】
制御部３１は、ステップＳ２０１において、「紙幣回収」が押されていないと判定すると、ステップＳ２０１を繰り返し、「紙幣回収」が押されたか否かを再び判定する。【００８１】
制御部３１は、ステップＳ２０１において、「紙幣回収」が押されたと判定すると、ＯＰカセット２３が装着されているか否かを判定する（ステップＳ２０２）。制御部３１は、ステップＳ２０２において、紙幣収納部２１のＯＰカセット２３がＡＴＭ１００に対して装着されているか否かを判定する。【００８２】
ステップＳ２０２において、制御部３１は、ＯＰカセット２３が装着されていないと判定すると、ステップＳ２０２を繰り返し、ＯＰカセット２３が装着されているか否かを再び判定する。【００８３】
制御部３１は、ステップＳ２０２において、ＯＰカセット２３が装着されていると判定すると、回収枚数確認画面を表示する（ステップＳ２０３）。例えば、ステップＳ２０３において、制御部３１は、図８に示すような画面をディスプレイ１１Ａに表示させる。図８に示すように、回収枚数確認画面には、金種毎の回収枚数及びリサイクルカセット群２２に既に収納されている紙幣の金種毎の総枚数が表示される。【００８４】
例えば、制御部３１は、ＡＴＭ１００において所定の期間内に実行された取引の履歴に基づいて、リサイクルカセット２２Ａ〜２２Ｃの各々から回収すべき紙幣の数を算出してディスプレイ１１Ａに表示させる。例えば、回収すべき紙幣の数は、所定時間あたりのＡＴＭ１００における入金及び出金の傾向から、出金用の紙幣が不足せず、かつ、各カセットが満杯になるまでの時間が最大となるように算出される。ステップＳ２０３において、制御部３１は、第１の算出部として機能する。【００８５】
なお、ステップＳ２０３において、制御部３１は、タッチパッド１１Ｂを介して回収枚数を変更する入力を受け付けても良い。【００８６】
制御部３１は、ステップＳ２０３の実行後、「回収実行」が押されたか否かを判定する（ステップＳ２０４）。例えば、ステップＳ２０４において、制御部３１は、タッチパッド１１Ｂを介して回収枚数確認画面に表示された「回収実行」が選択されたか否かを判定する。【００８７】
制御部３１は、ステップＳ２０４において、「回収実行」が押されていないと判定すると、ステップＳ２０３に戻り、回収枚数確認画面の表示を継続する。なお、ステップＳ２０４において、回収枚数確認画面に表示された「取消」が選択された場合、制御部３１は本ルーチンを終了してもよい。【００８８】
制御部３１は、ステップＳ２０４において、「回収実行」が押されたと判定すると、リサイクルカセット２２から紙幣入出部１３に紙幣を搬送する（ステップＳ２０５）。例えば、ステップＳ２０５において、制御部３１は、搬送部２５を制御して、リサイクルカセット２２Ａ〜２２Ｃから、回収枚数確認画面に表示された枚数の紙幣をカセット毎に紙幣入出部１３の収容部１３Ｂに搬送する。なお、第１のリサイクルカセット２２から紙幣入出部１３への紙幣の搬送にて（ステップＳ２０５）、紙幣入出部１３の収容部１３Ｂに収納された紙幣が満杯になった場合（ステップＳ２１０）、後述のステップＳ２０６が実行され、当該ステップＳ２０６の実行後、当該第１のリサイクルカセット２２に紙幣がまだ収納されている場合（ステップＳ２０９）、再度、当該第１のリサイクルカセット２２に収納された残りの紙幣について、紙幣入出部１３に搬送される（ステップＳ２０５）。以上のように、第１のリサイクルカセット２２に紙幣がなくなるまで（ステップＳ２０９）、ステップＳ２０５〜ステップＳ２０６が繰り返される。
一方、ステップＳ２０５の実行後、収容部１３Ｂに紙幣をまだ収納可能な場合（ステップＳ２１０）、次の新たな第２のリサイクルカセット２２に収納された紙幣が紙幣入出部１３に搬送される（ステップＳ２０５）。【００８９】
制御部３１は、各リサイクルカセット２２から回収予定の紙幣全てが紙幣入出部１３に搬送済又は紙幣入出部１３の収容部１３Ｂが満杯の場合（ステップＳ２１０：ＹＥＳ）、紙幣入出部１３からＯＰカセット２３に正常と鑑別された紙幣を搬送する（ステップＳ２０６）。例えば、ステップＳ２０６において、紙幣入出部１３の収容部１３Ｂの紙幣が紙幣鑑別部２７を経由し、正常と鑑別された紙幣は全てＯＰカセット２３に搬送される。なお、リジェクト紙幣は、各リサイクルカセット２２から回収予定の紙幣全てが紙幣入出部１３に搬送済の場合（ステップＳ２１０）、リジェクトカセット２４に搬送される。また、紙幣入出部１３の収容部１３Ｂが満杯の場合（ステップＳ２１０：ＹＥＳ）、リジェクト紙幣は、例えば、紙幣一時保留部２９に一旦、搬送されるが、かかる例に限定されず、例えば、リジェクトカセット２４に搬送されてもよい。さらに、リジェクト紙幣が発生した場合、金種、記番号、又は画像のうち少なくとも一つを記憶部３３に記憶されても良い。また、鑑別結果がリジェクト紙幣の場合、各リジェクト紙幣ごとに、又は、全リジェクト紙幣についてまとめて、ディスプレイ１１Ａ及び／又は明細票に出力される。
制御部３１は、ステップＳ２０６及びステップＳ２０９の実行後、回収予定の紙幣をＯＰカセット２３に全て回収したか否かを判定する（ステップＳ２０７）。例えば、ステップＳ２０７において、回収枚数確認画面に表示された回収枚数に対応する数の紙幣が全てＯＰカセット２３に収納されたか否かが判定される。【００９０】
例えば、ステップＳ２０７において、紙幣鑑別部２７を経由した紙幣の金種毎の枚数に基づいて、回収予定の紙幣を全て回収したか否かが判定される。【００９１】
制御部３１は、ステップＳ２０７において、回収予定の紙幣を全て回収していないと判定する（ステップＳ２０７：ＮＯ）と、ステップＳ２０５に戻り、まだ回収が済んでいないリサイクルカセット２２のうちいずれかのリサイクルカセット２２から紙幣入出部１３に紙幣を搬送する（ステップＳ２０５）。【００９２】
すなわち、制御部３１は、ステップＳ２０５〜ステップＳ２０７において、第１の収納庫としてのリサイクルカセット２２Ａ〜２２Ｃの各々から媒体保持部としての紙幣入出部１３への紙幣の搬送である第１の搬送によってリサイクルカセット２２Ａ〜２２Ｃから紙幣を取り出し、紙幣入出部１３から第２の収納庫としてのＯＰカセット２３への紙幣の搬送である第２の搬送によって、リサイクルカセット２２Ａ〜２２Ｃの各々から取り出された紙幣をＯＰカセット２３に収納する。【００９３】
制御部３１は、ステップＳ２０７において、回収予定の紙幣を全て回収したと判定する（ステップＳ２０７：ＹＥＳ）と、回収結果を明細票に印刷して（ステップＳ２０８）回収ルーチンＲＴ２を終了し、繰り返し回収ルーチンＲＴ２を実行する。【００９４】
例えば、ステップＳ２０８において、ＯＰカセット２３に搬送された紙幣の金種及び枚数を印刷した明細票が、カード挿入排出口１９から排出される。なお、かかる例に限定されず、明細票と共にディスプレイ１１Ａに回収結果を表示してもよく、又は、明細票はオペレータの必要に応じて出力せずにディスプレイ１１Ａに回収結果を表示しても良い。【００９５】
なお、ステップＳ２０４において、「全回収」が選択された場合には、本ルーチンと同様に搬送されてリサイクルカセット２２Ａ〜２２Ｃ内の全ての紙幣が回収されてもよい。或いは、ステップＳ２０４において、「全回収」が選択された場合、本ルーチンを終了し、リサイクルカセット２２Ａ〜２２Ｃを取り外して他のリサイクルカセットに交換することとしてもよい。例えば、リサイクルカセット２２Ａ〜２２Ｃが全て満杯となった場合等に「全回収」が選択される。【００９６】
なお、紙幣の回収において、ＯＰカセット２３を１つ使用する例について説明したが、これに限られない。例えば、回収する紙幣の数が１つのカセットに収納できる数を超えるような場合には、２つ以上のＯＰカセット２３が使用されてもよい。例えば、１つのＯＰカセット２３が満杯となるまで回収後、当該ＯＰカセット２３を別の空のＯＰカセット２３に交換し、回収作業を継続してもよい。【００９７】
以上、説明したように、ＡＴＭ１００によれば、保守作業のうちの紙幣の回収において、空のＯＰカセット２３を装着し、リサイクルカセット２２Ａ〜２２Ｃ内の紙幣を紙幣鑑別部２７で鑑別させてＯＰカセット２３に収納することができる。【００９８】
この際に、紙幣入出部１３の収容部１３Ｂに紙幣を一時的に収容する。これによって上述のようなレイアウトに関わらず、一方向の連続した搬送が可能となり、紙幣鑑別部２７を経由しつつ効率良く搬送することができる。【００９９】
また、紙幣鑑別部２７を経由することで、リサイクルカセット２２Ａ〜２２Ｃ内の所定の数の紙幣を回収することができる。つまり、ＯＰカセット２３を装着するだけで、ＡＴＭ１００内の紙幣を自動的に効率よく回収することができる。【０１００】
従って、例えば、回収の対象のカセットを全て取外して他のカセットに交換する必要はない。すなわち、回収の対象のカセットを取外して他のカセットに交換する場合よりも、準備すべきカセットの数が少なく、回収の作業にかかる手間も少ない。【０１０１】
よって、ＡＴＭ１００によれば、装置内の媒体の回収の際に必要なカセットの数を低減し、カセット内の媒体の管理を容易かつ確実とする装置を提供することができる。
また、本実施形態に係る回収でも、上述の精査の場合と同様に、例えば、紙幣入出部１３から繰り出された紙幣が紙幣鑑別部２７にて鑑別される、又は、紙幣入出部１３からＯＰカセット２３（又は紙幣一時保留部２９）への紙幣の搬送（第７の搬送）の際に紙幣が鑑別される。しかしながら、かかる例に限定されず、例えば、リサイクルカセット２２から紙幣入出部１３への紙幣の搬送（第６の搬送）の際に紙幣が鑑別されても良い。すなわち、第６の搬送又は第７の搬送のいずれかにおいて、紙幣が紙幣鑑別部２７を経由して鑑別されればよいが、第６の搬送及び第７の搬送の双方において紙幣を鑑別する場合でも実施可能であり、かかる場合、より信頼性の高い鑑別に資する。【０１０２】
図９及び図１０を参照しつつ、ＡＴＭ１００の制御部３１によって実行される紙幣の補充ルーチンＲＴ３について説明する。以下、一例として、リサイクルカセット群２２に含まれる全てのリサイクルカセット２２Ａ〜２２Ｃ内に紙幣が補充される場合について説明する。【０１０３】
制御部３１は、ＡＴＭ１００の動作モードが、例えば専用鍵の使用により、取引を実行する通常のモードから保守作業に関する処理を実行するモードに切り替えられた際に、本ルーチンを開始する。【０１０４】
制御部３１は、補充ルーチンＲＴ３を開始すると、「紙幣補充」が押されたか否かを判定する（ステップＳ３０１）。例えば、ステップＳ３０１において、制御部３１は、操作表示部１１のディスプレイ１１Ａに保守作業用の選択画面を表示させ、タッチパッド１１Ｂを介して、当該選択画面上の「紙幣補充」が選択されたか否かを判定する。なお、上述の通り、上記タッチパッド１１Ｂに限定されず、例えば、ハードキー等が利用されても良い。【０１０５】
制御部３１は、ステップＳ３０１において、「紙幣補充」が押されていないと判定すると、ステップＳ３０１を繰り返し、「紙幣補充」が押されたか否かを再び判定する。【０１０６】
制御部３１は、ステップＳ３０１において、「紙幣補充」が押されたと判定すると、ＯＰカセット２３が装着されているか否かを判定する（ステップＳ３０２）。制御部３１は、ステップＳ３０２において、補充用の紙幣が収納されたＯＰカセット２３がＡＴＭ１００に対して装着されているか否かを判定する。【０１０７】
ステップＳ３０２において、制御部３１は、ＯＰカセット２３が装着されていないと判定すると、ステップＳ３０２を繰り返し、ＯＰカセット２３が装着されているか否かを再び判定する。【０１０８】
制御部３１は、ステップＳ３０２において、ＯＰカセット２３が装着されていると判定すると、補充条件設定画面を表示する（ステップＳ３０３）。【０１０９】
例えば、制御部３１は、当該補充条件設定画面において、タッチパッド１１Ｂを介して金種毎の補充枚数を指定する入力を受け付ける。例えば、一万円券について、保守作業を担当するオペレータが「５００枚」と入力し、すでにリサイクルカセット２２Ａ内に一万円券が４９０枚収納されている場合には、補充枚数は１０枚と設定されてもよい。かかる場合、補充の際、リサイクルカセット２２Ａは５００枚と予め運用で決まっていれば、オペレータは補充前のリサイクルカセット２２Ａの収納状況（紙幣がどの程度リサイクルカセット２２Ａに収納済であるのか）を確認する手間が省ける。【０１１０】
また、例えば、ステップＳ３０３において、制御部３１は、リサイクルカセット２２Ａ〜２２Ｃ内の紙幣の、金種毎の総枚数及び金種毎の推奨される補充枚数を含む表示をディスプレイ１１Ａに表示させてもよい。【０１１１】
例えば、制御部３１は、ＡＴＭ１００において所定の期間内に実行された取引の履歴に基づいて、リサイクルカセット２２Ａ〜２２Ｃの各々に補充すべき紙幣の数を算出して当該補充条件設定画面内に表示させる。例えば、当該補充すべき紙幣の数は、所定時間あたりのＡＴＭ１００における入金及び出金の傾向から、各カセットが満杯になることなく、出金用の紙幣が不足しない期間が最長となるように算出される。ステップＳ３０３において、制御部３１は、第２の算出部として機能する。【０１１２】
制御部３１は、ステップＳ３０３の実行後、「補充実行」が押されたか否かを判定する（ステップＳ３０４）。例えば、ステップＳ３０４において、制御部３１は、タッチパッド１１Ｂを介して補充条件設定画面に表示された「補充実行」が選択されたか否かを判定する。【０１１３】
制御部３１は、ステップＳ３０４において、「補充実行」が押されていないと判定すると、ステップＳ３０３に戻り、補充条件設定画面の表示を継続する。なお、例えば、ステップＳ３０４において、補充条件設定画面に表示された「取消」が選択された場合、制御部３１は本ルーチンを終了してもよい。【０１１４】
制御部３１は、ステップＳ３０４において、「補充実行」が押されたと判定すると、ＯＰカセット２３から紙幣入出部１３に紙幣を搬送する（ステップＳ３０５）。例えば、ステップＳ３０５において、制御部３１は、搬送部２５を制御して、補充条件設定画面で金種毎に指定された枚数の紙幣を紙幣入出部１３の収容部１３Ｂに搬送させる。
次に、紙幣入出部１３の収容部１３Ｂに収納された紙幣が満杯である、又は補充予定の紙幣全てがＯＰカセット２３から収容部１３Ｂに搬送済の場合（ステップＳ３１１：ＹＥＳ）、後続のステップＳ３０６が実行される。また、ステップＳ３１１にて、収容部１３Ｂに収納された紙幣が満杯ではなく、まだ補充予定の紙幣がＯＰカセット２３内に存在する場合（例えば、補充予定の紙幣枚数に到達していない場合）、再び、ステップＳ３０５が実行される。【０１１５】
次に、例えば、ステップＳ３０６において、紙幣入出部１３から紙幣鑑別部２７を経由して紙幣が搬送される。また、例えば、ステップＳ３０６において、紙幣入出部１３から紙幣鑑別部２７を経由してリジェクト紙幣であると鑑別された紙幣は、例えば、紙幣一時保留部２９に搬送されるが、かかる例に限定されず、例えば、リジェクト紙幣は、リジェクトカセット２４に直接、搬送されてもよい。【０１１６】
制御部３１は、紙幣入出部１３からリサイクルカセット２２Ａ〜２２Ｃに紙幣を搬送する（ステップＳ３０６）。例えば、ステップＳ３０６において、紙幣入出部１３の収容部１３Ｂ内の紙幣が鑑別され、金種毎に対応するリサイクルカセット２２Ａ〜２２Ｃに搬送される。【０１１７】
制御部３１は、ステップＳ３０６の実行後、補充予定の紙幣を全て補充したか否かを判定する（ステップＳ３０７）。例えば、ステップＳ３０７において、補充条件設定画面に表示された金種毎の補充枚数に対応する紙幣が全て金種毎に対応するリサイクルカセット２２Ａ〜２２Ｃに収納されたか否かが判定される。【０１１８】
例えば、ステップＳ３０７において、紙幣鑑別部２７の鑑別結果に基づいて、補充予定の紙幣を全て補充したか否かが判定される。【０１１９】
制御部３１は、ステップＳ３０７において、補充予定の紙幣を全て補充していないと判定する（ステップＳ３０７：ＮＯ）と、ステップＳ３０５に戻り、ＯＰカセットから紙幣入出部１３に紙幣を搬送する。【０１２０】
すなわち、制御部３１は、ステップ３０５〜ステップＳ３０７において、第２の収納庫としてのＯＰカセット２３から媒体保持部としての紙幣入出部１３への紙幣の搬送である第４の搬送によってＯＰカセット２３から紙幣を取り出し、紙幣入出部１３から複数の第１の収納庫としてのリサイクルカセット２２Ａ〜２２Ｃへの紙幣の搬送である第５の搬送によって、ＯＰカセット２３から取り出された紙幣をリサイクルカセット２２Ａ〜２２Ｃに収納する。【０１２１】
制御部３１は、ステップＳ３０７において、補充予定の紙幣を全て補充したと判定する（ステップＳ３０７：ＹＥＳ）と、図１０に示すように、紙幣一時保留部２９に紙幣があるか否かを判定する（ステップＳ３０８）。ステップＳ３０８において、例えば、ステップＳ３０５〜３０７によって補充される紙幣のうち、紙幣鑑別部２７を経由する際に鑑別されて、リジェクト紙幣とされた紙幣が紙幣一時保留部２９に保持されているか否かが判定される。【０１２２】
制御部３１は、ステップＳ３０８において、紙幣一時保留部２９に紙幣が保持されていると判定する（ステップＳ３０８：ＹＥＳ）と、紙幣一時保留部２９からＯＰカセット２３にリジェクト紙幣を搬送する（ステップＳ３０９）。例えば、ＯＰカセット２３を取り外すことで、リジェクト紙幣をＡＴＭ１００の外へ取り出すことができる。かかる例に限定されず、例えば、紙幣一時保留部２９のリジェクト紙幣は、リジェクトカセット２４に搬送されても良い。補充後のＯＰカセット２３にまだ紙幣が収納されている場合は、リジェクトカセット２４にリジェクト紙幣を収納させれば、ＯＰカセット２３内にリジェクト紙幣を混在させずに済む。【０１２３】
制御部３１は、ステップＳ３０８において、紙幣一時保留部２９に紙幣が保持されていないと判定した場合（ステップＳ３０８：ＮＯ）、又はステップＳ３０９の実行後、補充結果を印刷し（ステップＳ３１０）、その後本ルーチンを終了して、繰り返し補充ルーチンＲＴ３を実行する。【０１２４】
例えば、ステップＳ３１０において、ＯＰカセット２３から搬送された紙幣の金種及び枚数を印刷した明細票が、カード挿入排出口１９から排出される。また、明細票には、リジェクト紙幣の金種及び／又は枚数が印刷されても良い。さらに、明細票には、リジェクト紙幣の記番号が印刷されても良い。【０１２５】
以上、説明したように、ＡＴＭ１００によれば、保守作業のうちの紙幣の補充において、補充用の紙幣を収納したＯＰカセット２３を装着し、紙幣鑑別部２７で鑑別させた後にリサイクルカセット２２Ａ〜２２Ｃの対応するカセットに補充することができる。【０１２６】
この際に、紙幣入出部１３の収容部１３Ｂに紙幣を一時的に収容する。これによって上述のようなレイアウトに関わらず、一方向の連続した搬送が可能となり、紙幣鑑別部２７を経由しつつ効率良く搬送することができる。【０１２７】
また、紙幣鑑別部２７を経由することで、鑑別結果に基づいて補充用の紙幣の金種及び枚数を確認しつつ金種毎の適切なカセットに確実に収納することができる。つまり、ＯＰカセット２３を装着するだけで、ＡＴＭ１００内に自動的に効率よく紙幣を補充することができる。【０１２８】
従って、例えば、補充の対象のカセットを全て取外して、補充用の指定を収納した他のカセットに交換する必要はない。すなわち、補充の対象のカセットを取外して他のカセットに交換する場合よりも、準備すべきカセットの数が少なく、補充の作業にかかる手間も少ない。【０１２９】
よって、ＡＴＭ１００によれば、自動取引装置内の媒体の補充の際に必要なカセットの数を低減し、カセット内の媒体の管理を容易かつ確実とする自動取引装置を提供することができる。
また、本実施形態に係る補充でも、上述の精査・回収の場合と同様に、例えば、紙幣入出部１３から繰り出された紙幣が紙幣鑑別部２７にて鑑別される、又は、紙幣入出部１３からＯＰカセット２３（又は紙幣一時保留部２９）への紙幣の搬送（第５の搬送）の際に紙幣が鑑別される。しかしながら、かかる例に限定されず、例えば、リサイクルカセット２２から紙幣入出部１３への紙幣の搬送（第４の搬送）の際に紙幣が鑑別されても良い。すなわち、第４の搬送又は第５の搬送のいずれかにおいて、紙幣が紙幣鑑別部２７を経由して鑑別されればよいが、第４の搬送及び第５の搬送の双方において紙幣を鑑別する場合でも実施可能であり、かかる場合、より信頼性の高い鑑別に資する。【０１３０】
また、紙幣の補充ルーチンＲＴ３において、リジェクト紙幣であると鑑別された紙幣は、紙幣一時保留部２９に保持される例について説明したが、精査ルーチンＲＴ１及び回収ルーチンＲＴ２においても、リジェクト紙幣が紙幣一時保留部２９に保持されて、各ルーチン終了後に、ＯＰカセット２３に搬送されてもよい。【０１３１】
また、上記の保守作業においてリジェクト紙幣であると鑑別された紙幣は、紙幣一時保留部２９に保持されずに、リジェクトカセット２４に直接に搬送されてもよい。紙幣鑑別部２７を経由することで、リジェクト紙幣がリサイクルカセット群２２内に残留したり、持ち込まれたりすることを防止することができればよい。【０１３２】
なお、媒体が紙幣である例について説明したが、本開示は硬貨についても適用可能である。
また、本実施形態では、明細票は媒体に印刷される場合を例に挙げて説明したが、かかる例に限定されず、例えば、実行結果を有する明細票データを無線又は有線で、ＵＳＢメモリ又はＤＶＤなどの記録媒体、携帯端末、若しくはサーバにアップロードする場合でも良い。【０１３３】
上述した実施例における構成及びルーチンは例示に過ぎず、用途等に応じて適宜選択及び変更可能である。
【図１】
2020105338.tif 000003
【図２】
2020105338.tif 000004
【図３】
2020105338.tif 000005
【図４】
2020105338.tif 000006
【図５】
2020105338.tif 000007
【図６】
2020105338.tif 000008
【図７】
2020105338.tif 000009
【図８】
2020105338.tif 000010
【図９】
2020105338.tif 000011
【図１０】
2020105338.tif 000012
【国際調査報告】
2020105338.tif 000013
2020105338.tif 000014
2020105338.tif 000015
2020105338.tif 000016